(57)【要約】      （修正有）【課題】飛行機の機内持ち込みサイズの測量器具として優れ、また縦（鉛直）方向に伸ばして使用する場合でも、目盛が見易く、使用勝手が優れた、折り畳み式ポケット測量器具を提供する。【解決手段】本折り畳み式ポケット測量器具は、携帯時には閉じられ、使用時には開くカバー１１と、携帯時には幾重にも折り畳まれてカバー１１内に収納されて携帯される一方、使用時には先端部１２ｂから伸ばして使用されるメジャー１２とからなり、そのメジャー１２には、長手方向に所定間隔のピッチで横書き目盛１２ｃと縦書き目盛１２ｄが印刷され、かつ、その縦書き目盛１２ｄには、メジャー１２の先端部１２ｂを始点として基端部１２ａに向かって計測する飛行機の機内持ち込みサイズを示すスケール１２ｅ１〜１２ｅ３が印刷されている。【選択図】図４
0003168974.tif 000002
【実用新案登録請求の範囲】
【請求項１】
長手方向に所定間隔のピッチで目盛が表示されており、
携帯時には幾重にも折り畳まれて携帯される一方、使用時には折り畳み部分が広げられ、伸ばして使用されるメジャーであって、
前記メジャーには、
先端部を始点として基端部に向かって計測する飛行機の機内持ち込みサイズを示すスケールが印刷されている、
ことを特徴とする折り畳み式ポケット測量器具。
【請求項２】
請求項１記載の折り畳み式ポケット測量器具において、
飛行機の機内持ち込みサイズを示すスケールとして、
機内持ち込み許容サイズの縦方向最大サイズを示す縦方向最大サイズスケールと、
その横方向最大サイズを示す横方向最大サイズスケールと、
その幅方向最大サイズを示す幅方向最大サイズスケールと、の３本のスケールが並設して印刷されている、
ことを特徴とする折り畳み式ポケット測量器具。
【請求項３】
請求項２記載の折り畳み式ポケット測量器具において、
前記縦方向最大サイズスケールと、前記横方向最大サイズスケールと、前記幅方向最大サイズスケールとのうち最も長い前記縦方向最大サイズスケールは、前記メジャーの長手方向の上端部または下端部に沿って印刷され、
中間の長さの前記横方向最大サイズスケールは、前記縦方向最大サイズスケールに隣接してその内側に印刷され、
最も短い前記幅方向最大サイズスケールは、前記横方向最大サイズスケールに隣接してその内側に印刷される、
ことを特徴とする折り畳み式ポケット測量器具。
【請求項４】
請求項１〜請求項３のいずれか一の請求項に記載の折り畳み式ポケット測量器具において、
前記目盛として、
前記メジャーの長手方向に横書きで印刷された横書き目盛と、
前記メジャーの長手方向に縦書きで印刷された縦書き目盛とが、前記メジャーの長手方向の上下端に印刷されている、
ことを特徴とする折り畳み式ポケット測量器具。
【請求項５】
請求項４記載の折り畳み式ポケット測量器具において、
前記横書き目盛と、前記縦書き目盛とは、目盛のピッチが異なり、かつ、目盛の文字の大きさも異なり、
飛行機の機内持ち込みサイズを示すスケールは、目盛のピッチおよび文字が小さい方の前記横書き目盛または前記縦書き目盛の上に印刷されている、
ことを特徴とする折り畳み式ポケット測量器具。
【考案の詳細な説明】
【技術分野】
【０００１】
本考案は、携帯可能な折り畳み式ポケット測量器具に関する。
【背景技術】
【０００２】
本件出願人は、従来の折り畳み式ポケット測量器具として、例えば、長手方向に所定間隔のピッチで目盛が表示されており、携帯時には幾重にも折り畳まれて携帯される一方、使用時には折り畳み部分が広げられ、伸ばして使用されるメジャーを有する折り畳み式ポケット測量器具を提案している（例えば、特許文献１参照。）。
【先行技術文献】
【特許文献】
【０００３】
【特許文献１】実用新案登録第３１５９４５９号公報
【考案の概要】
【考案が解決しようとする課題】
【０００４】
しかし、この従来の折り畳み式ポケット測量器具は、携帯可能な折畳み式ポケット測量器具としては、携帯性やコスト等の面で非常に優れているものの、飛行機の機内持ち込みサイズの測量器具としては、具体的な提案がされていなかった。
【０００５】
また、従来の折り畳み式ポケット測量器具は、横方向に伸ばして使用することを前提としていため、縦（鉛直）方向に伸ばして使用する場合には、横書き目盛が横方向を向いてしまい、目盛が見難い等、使用勝手が悪い、という欠点もあった。
【０００６】
そこで、本考案は、飛行機の機内持ち込みサイズの測量器具として優れ、また縦（鉛直）方向に伸ばして使用する場合でも、目盛が見易く、使用勝手が優れた、折り畳み式ポケット測量器具を提供することを目的とする。
【課題を解決するための手段】
【０００７】
前記課題を解決するため、本考案の折り畳み式ポケット測量器具は、長手方向に所定間隔のピッチで目盛が表示されており、携帯時には幾重にも折り畳まれて携帯される一方、使用時には折り畳み部分が広げられ、伸ばして使用されるメジャーであって、前記メジャーには、先端部を始点として基端部に向かって計測する飛行機の機内持ち込みサイズを示すスケールが印刷されている、ことを特徴とする折り畳み式ポケット測量器具である。
ここで、前記折り畳み式ポケット測量器具において、飛行機の機内持ち込みサイズを示すスケールとして、機内持ち込み許容サイズの縦方向最大サイズを示す縦方向最大サイズスケールと、その横方向最大サイズを示す横方向最大サイズスケールと、その幅方向最大サイズを示す幅方向最大サイズスケールと、の３本のスケールが並設して印刷されている、ようにしても良い。
また、前記折り畳み式ポケット測量器具において、前記縦方向最大サイズスケールと、前記横方向最大サイズスケールと、前記幅方向最大サイズスケールとのうち最も長い前記縦方向最大サイズスケールは、前記メジャーの長手方向の上端部または下端部に沿って印刷され、中間の長さの前記横方向最大サイズスケールは、前記縦方向最大サイズスケールに隣接してその内側に印刷され、最も短い前記幅方向最大サイズスケールは、前記横方向最大サイズスケールに隣接してその内側に印刷される、ようにしても良い。
また、前記折り畳み式ポケット測量器具において、請求項１〜請求項３のいずれか一の請求項に記載の折り畳み式ポケット測量器具において、前記目盛として、前記メジャーの長手方向に横書きで印刷された横書き目盛と、前記メジャーの長手方向に縦書きで印刷された縦書き目盛とが、前記メジャーの長手方向の上下端に印刷されている、ようにしても良い。
また、前記折り畳み式ポケット測量器具において、前記横書き目盛と、前記縦書き目盛とは、目盛のピッチが異なり、かつ、目盛の文字の大きさも異なり、飛行機の機内持ち込みサイズを示すスケールは、目盛のピッチおよび文字が小さい方の前記横書き目盛または前記縦書き目盛の上に印刷されている、ようにしても良い。
【考案の効果】
【０００８】
本考案によれば、長手方向に所定間隔のピッチで目盛が表示されており、携帯時には幾重にも折り畳まれて携帯される一方、使用時には折り畳み部分が広げられ、伸ばして使用されるメジャーに、先端部を始点として基端部に向かって計測する飛行機の機内持ち込みサイズを示すスケールが印刷されているので、使用しない場合には、折り畳んで小さく携帯し、使用時には簡単に取り出して使用することができ、飛行機の機内持ち込みサイズの測量器具として優れている。また、横書き目盛と、縦書き目盛を印刷することによりお、縦（鉛直）方向に伸ばして使用する場合でも、目盛が見易く、使用勝手が優れている。
【図面の簡単な説明】
【０００９】
【図１】本考案の実施形態１の折り畳み式ポケット測量器具の携帯時の使用していない状態を示す全体図である。
【図２】本考案の実施形態１の折り畳み式ポケット測量器具を上方から見た全体図である。
【図３】本考案の実施形態１の折り畳み式ポケット測量器具においてカバーからメジャーを１５ｃｍほど引き出した状態を示す正面図である。
【図４】本考案の実施形態１の折り畳み式ポケット測量器具においてカバーからメジャーを全部引き出した状態を示す正面図である。
【図５】本実施形態１の折り畳み式ポケット測量器具のメジャーの特徴部分を拡大して示す部分拡大図である。
【図６】本考案の実施形態２の折り畳み式ポケット測量器具の一例を示す説明図である。
【考案を実施するための形態】
【００１０】
実施形態１．
次に、本考案の折り畳み式ポケット測量器具の実施形態１について説明する。
【００１１】
図１は、本実施形態１の折り畳み式ポケット測量器具１０の携帯時の使用していない状態を示す全体図、図２は、本考案の実施形態１の折り畳み式ポケット測量器具１０を上方から見た全体図である。
【００１２】
図１に示すように、本実施形態１の折り畳み式ポケット測量器具１０は、カバー１１と、メジャー１２とから構成されている。
【００１３】
カバー１１は、図１、図２に示すように、書籍の表紙またはカバーのように、中央で２つに折れるように構成されている。
【００１４】
そして、カバー１１の高さは、例えば、メジャー１２の幅（高さ）の８８ｍｍに合わせて約９ｃｍ、カバー１１の幅も、メジャー１２の長さの１２０ｃｍの折り畳みを考慮して６ｃｍとして、ほぼ名刺サイズもしくはそれより一回り大きい名刺入れサイズとしている。なお、カバー１１の高さおよび幅は、これらより大きくても、小さくても勿論よい。これらの寸法は、あくまで一例であり、適宜変更が可能である。
【００１５】
メジャー１２は、携帯時には、図１、図２に示すように、幾重にも折り畳まれて携帯される一方、使用時に、次の図３、図４に示すように、メジャー１２の先端部１２ｂから折り畳み部分が広げられ、伸ばして使用される。
【００１６】
図３は、本実施形態１の折り畳み式ポケット測量器具１０において、カバー１１を開き、カバー１１からメジャー１２をおよそ２２〜２４ｃｍほど引き出した状態を示す正面図、図４は、カバー１１からメジャー１２を全部引き出した状態、図５は、本実施形態１の折り畳み式ポケット測量器具１０のメジャー１２の特徴部分を拡大して示す部分拡大図である。
【００１７】
メジャー１２は、図４に示すように、メジャーの基端部１２ａから６ｃｍほどが折り曲げられて、カバー１１内側に糊やテープ等により貼り付けられており、携帯時には、図１、図２等に示すように、幾重にも折り畳まれてカバー１１内に収納されて携帯される。
【００１８】
そして、使用時には、図３、図４に示すように、折り畳み部分が広げられ、メジャー１２の先端部１２ｂを、カバー１１より外に伸ばして使用される。
【００１９】
メジャー１２は、本実施形態１では、例えば、ケント紙等の紙が使用されている。本実施形態１では、図４に示すように、伸ばした状態で、例えば、基端部１２ａにおける６０ｍｍほどの折り目があるので、長手（横）方向の長さ１１４０ｍｍ、短（縦）方向の高さ８５ｍｍとしている。なお、メジャー１２の素材や寸法は、あくまで一例である。つまり、メジャー１２は、ケント紙等の紙製に限定されず、ビニールやポリエステルフィルムによりラミネート加工等された水に強いフィルム素材等から構成するようにしても良いし、さらには、布や、プラスチックフィルム等により構成されていても、勿論よく、要は、折りたためることが可能な素材であれば何でも良い。なお、これらのことは、後述する他の実施形態でも、同様である。
【００２０】
そして、メジャー１２の長手方向下側の下端部には、図３〜図５に示すように、メジャー１２の先端部１２ｂを目盛の始点（０）として基端部１２ａに向かい、１ｍｍ刻み（ピッチ）で１２４ｃｍまで横書きの横書き目盛１２ｃが印刷等されて表示されている。ただし、メジャー１２の基端部１２ａから６ｃｍほどが折り曲げられて、カバー１１内側に糊やテープ等により貼り付けられているので、図４では、１１４ｃｍまで横書き目盛１２ｃが現れることになる。そして、この横書き目盛１２ｃの１０ｃｍ、２０ｃｍ、３０ｃｍ、４０ｃｍ、・・・等の１０ｃｍ毎に、墨入れにより黒字の三角印と、１０、２０，３０、４０、・・・という数字が描かれている。なお、黒字の三角印は、一例であり、単なる直線等でも勿論よい。また、５０ｃｍごとに、より大きい数字で５０、１２０という数字と、墨入れにより黒字の菱形が印刷されている。
【００２１】
その一方、メジャー１２の長手方向上側の上端部には、図３〜図５に示すように、メジャー１２の先端部１２ｂを目盛１２ｃの始点（０）として基端部１２ａに向かい、５ｃｍ刻み（ピッチ）で１２０ｃｍまで縦書きの縦書き目盛１２ｄが印刷等されて表示されている。
【００２２】
ここで、横書き目盛１２ｃと縦書き目盛１２ｄとは、目盛のピッチが異なり、かつ、目盛の文字の大きさも異なる。具体的には、使用頻度の高い横書き目盛１２ｃの文字の方が、使用頻度の少ない縦書き目盛１２ｄの文字よりも大きく、しかも目盛のピッチを細かくしている。
【００２３】
そのため、本実施形態１の折り畳み式ポケット測量器具１０によれば、メジャー１２の長手方向の上下端に、横書き目盛１２ｃおよび縦書き目盛１２ｄが印刷されているので、横方向の長さを測るときだけでなく、縦方向の長さを測る場合にも使用でき、携帯性の面だけでなく、非常に使用勝手に優れる。なお、横書き目盛１２ｃおよび縦書き目盛１２ｄの刻み（ピッチ）間隔は、１ｍｍ刻み（ピッチ）および５ｃｍ刻み（ピッチ）に限らず、１ｃｍ刻み（ピッチ）、１０ｃｍ刻み（ピッチ）等でも勿論よい。
【００２４】
また、本実施形態１の折り畳み式ポケット測量器具１０では、メジャー１２の長手方向上端には、縦書き目盛１２ｄに重なるように、それぞれの幅が約１０ｍｍで長手方向に、先端部１２ｂを始点として基端部１２ｂに向かって計測する飛行機の機内持ち込みサイズを示す３つのスケール１２ｅ１〜１２ｅ３が印刷されている。
【００２５】
具体的には、本実施形態１では、飛行機の機内持ち込みサイズを示す３つのスケール１２ｅ１〜１２ｅ３として、機内持ち込み許容サイズの縦方向最大サイズ（例えば、５５ｃｍ。）を示す縦方向最大サイズスケール１２ｅ１と、機内持ち込み許容サイズの横方向最大サイズ（例えば、４０ｃｍ。）を示す横方向最大サイズスケール１２ｅ２と、機内持ち込み許容サイズの幅方向最大サイズ（例えば、２５ｃｍ。）を示す幅方向最大サイズスケール１２ｅ３が並設して印刷されている。
【００２６】
そして、本実施形態１では、最も長い縦方向最大サイズスケール１２ｅ１は、メジャー１２の上部の長手方向の上端部、すなわち縦書き目盛１２ｄに重ねて印刷され、中間の長さの横方向最大サイズスケール１２ｅ２は、縦方向最大サイズスケール１２ｅ１に隣接してその内側である下側に印刷され、最も短い幅方向最大サイズスケール１２ｅ３は、横方向最大サイズスケール１２ｅ２に隣接してその内側である下側に印刷される。
【００２７】
つまり、本実施形態１では、３つのスケール１２ｅ１〜１２ｅ３のうち、長さの長い縦方向最大サイズスケール１２ｅ１、横方向最大サイズスケール１２ｅ２、幅方向最大サイズスケール１２ｅ３の順に、それぞれの０の点をメジャー１２の先端部１２ｂとして、メジャー１２の長手方向の上端部から下端部に向かって印刷されている。
【００２８】
そして、本実施形態１では、例えば、長さの長い縦方向最大サイズスケール１２ｅ１は赤色、横方向最大サイズスケール１２ｅ２は緑色、幅方向最大サイズスケール１２ｅ３は黄色、というように異なる色により印刷されている。これにより、ユーザは、色によっても３つのスケール１２ｅ１〜１２ｅ３を簡単に見分けることができ、この点で使用勝手が非常に向上する。
【００２９】
また、３つのスケール１２ｅ１〜１２ｅ３の始点側には、図示はしていないが、それぞれ、“座席数１００以上の機内持ち込みサイズ（縦５５ｃｍ以内）”、“座席数１００以上の機内持ち込みサイズ（横４０ｃｍ以内）”、“座席数１００以上の機内持ち込みサイズ（幅２５ｃｍ以内）”という文字や数値も印刷されている。これにより、ユーザは、これらの文字や数字によっても３つのスケール１２ｅ１〜１２ｅ３が表す意味を簡単に認識することが可能となり、この点で使用勝手が非常に向上する。
【００３０】
また、３つのスケール１２ｅ１〜１２ｅ３の終点側には、それぞれ、飛行機のマーク１２ｅ１１〜１２ｅ３１と、飛行機のマーク１２ｅ１１〜１２ｅ３１の中に“ココまで（縦５５ｃｍ）”、“ココまで（横４０ｃｍ）”、“ココまで（幅２５ｃｍ）”と、機内持ち込みサイズの各縦横幅方向の最大サイズの終点を示す文字や数字も印刷されている。これらの飛行機のマーク１２ｅ１１〜１２ｅ３１と、その中の数字や文字とによって、３つのスケール１２ｅ１〜１２ｅ３が表す意味を簡単に認識することも可能となり、この点で使用勝手が非常に向上する。
【００３１】
そのため、本実施形態１の折り畳み式ポケット測量器具１０を、ポケットや、かばん、手帳の間等から取り出し、図３等に示すように、カバー１１を広げ、メジャー１２をその先端部１２ｂから６０ｃｍほど拡げると、メジャー１２の上部側に、縦方向最大サイズスケール１２ｅ１、横方向最大サイズスケール１２ｅ２、幅方向最大サイズスケール１２ｅ３が現れるので、簡単に、機内持ち込み許容サイズの縦、横、幅を測定や確認することが可能となる。
【００３２】
なお、メジャー１２の正面は、昼間の写真撮影用に白地に黒文字仕上げで、図３〜図５に示すように文字や横書き目盛１２ｃおよび縦書き目盛１２ｄ等が描かれている一方、メジャー１２の裏面は、無地にして、メモや、広告の印刷のスペースとしている。
【００３３】
また、メジャー１２は白地であり、メジャー１２の長手方向下端の横書き目盛１２ｃには、１０ｃｍ間隔で、幅約１０ｍｍほどの細幅で黄色の線１２ｃ１と、赤色の線１２ｃ２とがそれぞれ長手方向に交互に描かれている。また、メジャー１２の長手方向上端の縦書き目盛１２ｄにも、縦方向最大サイズスケール１２ｅ１の終点以降、幅約３０ｍｍほどの太幅で黄色の線１２ｄ１と、赤色の線１２ｄ２とがそれぞれ長手方向に交互で、かつ、横書き目盛１２ｃ間の黄色の線１２ｃ１および赤色の線１２ｃ２とは逆の色になるように描かれている。これにより、夜間写真撮影の際、フラッシュ撮影しても、黄色の線１２ｃ１，１２ｄ１と、赤色の線１２ｃ２，１２ｄ２とがあるので、メジャー１２の横書き目盛１２ｃおよび縦書き目盛１２ｄを容易に認識することができると共に、デザイン性が向上する。なお、黄色の線１２ｃ１，１２ｄ１や、赤色の線１２ｃ２，１２ｄ２は、必須のものではなく、省略しても勿論良い
【００３４】
従って、本実施形態１の折り畳み式ポケット測量器具１０によれば、上下端それぞれの長手方向に所定間隔のピッチで横書き目盛１２ｃおよび縦書き目盛１２ｄが印刷されており、携帯時には幾重にも折り畳まれて携帯される一方、使用時には折り畳み部分が広げられ、伸ばして使用されるメジャー１２を有するので、使用しない場合には、折り畳んで小さく携帯し、使用時には簡単に取り出して使用することができる。
【００３５】
また、本実施形態１の折り畳み式ポケット測量器具１０では、メジャー１２の上部側に、縦方向最大サイズスケール１２ｅ１、横方向最大サイズスケール１２ｅ２、幅方向最大サイズスケール１２ｅ３が印刷されているので、簡単に、機内持ち込み許容サイズの縦、横、幅を測定や確認することができる。
【００３６】
また、本実施形態１の折り畳み式ポケット測量器具１０では、横書き目盛１２ｃと縦書き目盛１２ｄとは、目盛のピッチが異なり、かつ、目盛の文字の大きさも異なり、使用頻度の高い横書き目盛１２ｃの文字の方が、使用頻度の少ない縦書き目盛１２ｄの文字よりも大きく、しかも目盛のピッチを細かくしており、飛行機の機内持ち込みサイズを示すスケール１２ｅ１〜１２ｅ３は、目盛のピッチおよび文字が小さい縦書き目盛１２ｄの上に印刷されているので、この点でも使用勝手が優れる。
【００３７】
また、本実施形態１の折り畳み式ポケット測量器具１０では、メジャー１２の裏面を、白地の無地にしているので、メモ帳や、さらには広告掲載のスペースとして利用することもできる。
【００３８】
また、本実施形態１の折り畳み式ポケット測量器具１０では、カバー１１からメジャー１２を切り離しても使用することも可能であり、縦書き目盛１２が印刷されているので、壁や柱等に縦方向に貼り付ける等して、簡易な身長計などとしても使用できる。
【００３９】
実施形態２．
次に、本考案にかかる実施形態２の折り畳み式ポケット測量器具２０について説明する。本実施形態２の折り畳み式ポケット測量器具２０では、カバー２１に各種スケールを追加したものである。
【００４０】
図６は、本考案にかかる実施形態２の折り畳み式ポケット測量器具２０の一例を示す説明図である。なお、本実施形態２では、カバー２１内のメジャーは、実施形態１のメジャー１２と同じなので、カバー２１についてのみ説明する。
【００４１】
図６に示すように、本実施形態２では、カバー２１の表表紙２１ａの図上右側端部に、１ｍｍ刻みの８ｃｍまでの通常スケール２１ａ１を縦方向に印刷等して表示すると共に、カバー２１の裏表紙２１ｂの図上左側端部に、０．０５ｍｍ〜２．００ｍｍのひび割れ（クラック）を測定するクラックスケール２１ｂ１を印刷等して表示している。
【００４２】
従って、本実施形態２の折り畳み式ポケット測量器具２０によれば、カバー２１を広げてメジャー１２を取り出さないでも、カバー２１の表表紙２１ａの通常スケール２１ａ１により、簡単な計測を行うことができる一方、カバー２１の裏表紙２１ｂのクラックスケール２１ｂ１により、０．０５ｍｍ〜２．００ｍｍのひび割れ（クラック）を簡単に計測することができる。
【００４３】
なお、本実施形態２では、図６に示すように、カバー２１の表表紙２１ａに通常スケール３１ｂ１を印刷する一方、裏表紙２１ｂにクラックスケール２１ｂ１印刷して説明したが、本考案ではこれに限定されず、通常スケール３１ｂ１のみを設けても良いし、さらにはクラックスケール２１ｂ１のみを設けるようにしても勿論よいし、それ以外の短尺のスケールを印刷するようにしても勿論よい。
【産業上の利用可能性】
【００４４】
本考案の折り畳み式ポケット測量器具は、折畳み式のメジャーの長手方向の上下端に横書き目盛および縦書き目盛が印刷されており、さらに、その先端部を開始点として基端部に向かって計測する飛行機の機内持ち込みサイズを示すスケールも印刷されているので、携帯時には幾重にも折り畳まれてコンパクトに携帯できる一方、使用時には折り畳たまれたメジャーを広げて、長さを計測したり、飛行機の機内持ち込みサイズを確認することができ、出張時や旅行等に携帯する折り畳み式ポケット測量器具として産業上の利用可能性が大きい。
【符号の説明】
【００４５】
１０，２０  折り畳み式ポケット測量器具
１１，２１  カバー
１２  メジャー
１２ａ  メジャーの基端部
１２ｂ  メジャーの先端部
１２ｃ  横書き目盛
１２ｄ  縦書き目盛
１２ｅ１  縦方向最大サイズスケール
１２ｅ２  横方向最大サイズスケール
１２ｅ３  幅方向最大サイズスケール
２１ａ１  標準スケール
２１ｂ１  クラックスケール
【図１】
0003168974.tif 000003
【図２】
0003168974.tif 000004
【図３】
0003168974.tif 000005
【図４】
0003168974.tif 000006
【図５】
0003168974.tif 000007
【図６】
0003168974.tif 000008